(57)【要約】【課題】  就眠時を利用して長時間貼ることができることにより、目元のシワ、タルミ、クスミ、抗老化に改善することができる美容パックシートを提供する。【解決手段】  顔面の両目周辺を一体に覆える大きさの横長楕円形状に形成されたシート２の一面側に保湿、改善作用のある美容液３を塗布し、上記シート２の両側の目に該当する位置に、目にあわせた切れ目５及びこの切れ目５の下部に連なる短い縦の切れ目６を設け、また、鼻に該当する部分に二本の切れ目７を設け、更にシート２の周囲複数箇所に顔の形状にあわせてシート２の貼り付けを調節するための切り込み８を外周から内側に向けて略放射状の配置で設けてある。【選択図】        図１
0003110419.tif 000002
【実用新案登録請求の範囲】
【請求項１】
顔面の両目周辺を一体に覆える大きさに形成されたシートの一面側に保湿、改善作用のある美容液を塗布し、このシートの両側の目に該当する位置に目にあわせた切れ目と、鼻に該当する位置に縦方向の切れ目を設け、前記シートの周囲複数箇所に顔の形状にあわせてシートの貼り付けを調節するための切り込みを外周から内側に向けて設けた美容パックシート。
【請求項２】
顔面の口部周辺を覆える大きさに形成されたシートの一面側に保湿、改善作用のある美容液を塗布し、このシートの口に該当する位置に口にあわせた切れ目を設け、前記シートの周囲複数箇所に顔の形状にあわせてシートの貼り付けを調節するための切り込みを外周から内側に向けて設けた美容パックシート。
【請求項３】
上記美容液が、成分として、ヒアルロン酸、コエンザイム、コラーゲン、プラセンタ、エラスチン、アンチアンモニアアゾトバクターエキスやビタミンＡ、ビタミンＣ等の誘導体物質の何れか一つもしくは複数を含有している請求項１又は２に記載の美容パックシート。
【考案の詳細な説明】
【技術分野】
【０００１】
この考案は、就眠時に目元や口元に長時間貼ることによって、目元や口元のシワ、タルミ、クスミを改善するアイマスクシート及びマウスマスクシートからなる美容パックシートに関する。
【背景技術】
【０００２】
シートの一面側にパック剤を塗布し、このシートを顔面に貼り付けることにより、顔の保湿や美容効果を得るようにしたパックシートはすでに知られている。
【０００３】
従来のパックシートは、シートを顔面の全面を覆える大きさに形成し、このシートの両目と口に該当する部位に孔をあけ、鼻に対応する部位に切れ目を設けると共に、前記シートの一面側にパック剤を塗布した構造を有し、使用時には、パック剤を保護する離形シートを剥がし、露出したパック剤が顔面に接触するようシートを貼り付け、１０分間程度放置してから取り去ることによってパックが終了するようになっている（例えば、特許文献１参照）。
【特許文献１】特開平６−４８９１７号公報
【考案の開示】
【考案が解決しようとする課題】
【０００４】
ところで、従来のパックシートは、顔面全体を覆うようになっているため、パック剤の塗布面積が大きく、コスト的に高くつくだけでなく、目元や口元のような部分的な部位のシワ、タルミ、クスミを改善しようとする場合に、シート及びパック剤に無駄な部分が生じることになり、不経済である。
【０００５】
また、目元や口元のような部分的な部位のシワ、タルミ、クスミを改善するには、パックシートを長時間にわたって貼り付けておかなければならないが、顔面全体を覆うパックシートでは貼り付け状態での就眠は剥がれやすく困難であり、目元や口元のような部位のシワ、タルミ、クスミの改善には不向きである。
【０００６】
そこで、この考案の課題は、目元や口元に対して部分的に貼るアイマスクシート及びマウスマスクシートに形成し、就眠時を利用して長時間貼ることができることにより、目元や口元のシワ、タルミ、クスミを効果的に改善することができる美容パックシートを提供することにある。
【課題を解決するための手段】
【０００７】
上記のような課題を解決するため、請求項１の考案は、顔面の両目周辺を一体に覆える大きさに形成されたシートの一面側に保湿、改善作用のある美容液を塗布し、このシートの両側の目に該当する位置に目にあわせた切れ目と、鼻に該当する位置に縦方向の切れ目を設け、前記シートの周囲複数箇所に顔の形状にあわせてシートの貼り付けを調節するための切り込みを外周から内側に向けて設けた構成を採用したものである。
【０００８】
請求項２の考案は、顔面の口部周辺を覆える大きさに形成されたシートの一面側に保湿、改善作用のある美容液を塗布し、このシートの口に該当する位置に口にあわせた切れ目を設け、前記シートの周囲複数箇所に顔の形状にあわせてシートの貼り付けを調節するための切り込みを外周から内側に向けて設けた構成を採用したものである。
【０００９】
請求項３の考案は、請求項１又は２に記載の考案において、上記美容液が、成分として、ヒアルロン酸、コエンザイム、コラーゲン、プラセンタ、エラスチン、アンチアンモニアアゾトバクターエキスやビタミンＡ、ビタミンＣ等の誘導体物質の何れか一つもしくは複数を含有している構成を採用したものである。
【考案の効果】
【００１０】
この考案によると、美容液を塗布したシートを顔面の両目周辺を一体に覆える大きさ及び顔面の口部周辺を覆える大きさに形成し、シートの周囲複数箇所に顔の形状や大小にあわせてシートの貼り付けを調節するための切り込みを設けたので、顔面の形状や大きさに合わせてシート全面を顔面の必要部位に貼り付けることができ、シートの顔面への貼り付け状態が就眠状態でも安定し、剥離の発生を抑えることで就眠時を利用した長時間の貼り付けが可能になり、短時間では改善効果の少ない目元や口元のシワ、タルミ、クスミを長時間の貼り付けによる美容液の効果によって確実に改善することができる。
【００１１】
また、シートを顔面の両目周辺を一体に覆える大きさ及び顔面の口部周辺を覆える大きさに形成したので、目元や口元のような部分的な部位のシワ、タルミ、クスミを改善しようとする場合に、シート及び美容液に無駄な部分が生じることがなく経済的であると共に、周辺の切り込み間の部分の引っ張り状態の貼り付けで、シワ、タルミ、クスミ部分を引き伸ばし、この状態で美容液を作用させることができ、長時間の貼り付けによる美容液の効果を効率よく生かし、目元や口元のシワ、タルミ、クスミを確実に改善することができる。
【００１２】
また、シートには目や口に該当する部位に目や口にあわせた切れ目を設けてあるので、就眠時を利用した長時間の貼り付けでも安全性を確保することができる。
【００１３】
更に、美容液の成分が、ヒアルロン酸、コエンザイム、コラーゲン、プラセンタ、エラスチン、アンチアンモニアアゾトバクターエキスやビタミンＡ、ビタミンＣ等の誘導体物質の何れか一つもしくは複数を含有しているので、目元や口元のような顔面の部分的な部位に生じるシワ、タルミ、クスミを効果的に改善することができる。
【００１４】
特にアンチアンモニアアゾトバクターエキス（８５１培養流体）は動物の各種組織タンパク合成に大きな利点を有し、なおかつ抗老化に対する効果はビタミンＥより高いとされている（特公平４−５７３１８）。細胞膜を容易に通過できるナノ単位のクラスターは皮ふ細胞をも容易に浸透し当然のことながら皮ふの再成、活性をうながします。
【考案を実施するための最良の形態】
【００１５】
以下この考案の最良の実施の形態を説明する。
【００１６】
図１に示す第１の実施の形態の美容パックシート１は、目元のシワ、タルミ、クスミを改善するアイマスクシートであり、顔面の両目周辺を一体に覆える大きさの横長楕円形状に形成されたシート２の一面側に保湿、改善作用のある美容液３を塗布し、この美容液３を離形シート４で保護すると共に、上記シート２の両側の目に該当する部位に、目にあわせた弧状の切れ目５及びこの弧状の切れ目５の下部に連なって短い縦の切れ目６を設け、また、鼻に該当する部分に二本の切れ目７を設け、更にシート２の周囲複数箇所に顔の形状にあわせてシート２の貼り付けを調節するための切り込み８を外周から内側に向けて略放射状の配置で設けた構造になっている。
【００１７】
図２に示す第２の実施の形態の美容パックシート１ａは、口元のシワ、タルミ、クスミを改善するマウスマスクシートであり、顔面の口部周辺を覆える大きさの横長楕円形状に形成されたシート２の一面側に保湿、改善作用のある美容液３を塗布し、この美容液３を離形シート４で保護すると共に、上記シート２の口に該当する位置に口にあわせた弧状の切れ目９を設け、更にシート２の周囲複数箇所に顔の形状にあわせてシート２の貼り付けを調節するための切り込み８を外周から内側に向けて略放射状の配置で設けた構造になっている。
【００１８】
上記各実施の形態において、シート２は、美容液３を付着させることができ、顔の形状に沿う性質を持ったものであればよく、例えば、紙、綿布、不織布、フエルト、樹脂フイルムや樹脂シート等を使用することができる。
【００１９】
上記美容液３は、保湿、改善作用のある成分を使用し、具体的には、ヒアルロン酸、コエンザイム、コラーゲン、プラセンタ、エラスチン、アンチアンモニアアゾトバクターエキスやビタミンＡ、ビタミンＣ等の誘導体物質の何れか一つもしくは複数を含有している成分からなり、このような成分の美容液３は、目元や口元のような顔面の部分的な部位に生じるシワ、タルミ、クスミを効果的に改善することができるという利点がある。
【００２０】
この考案の美容パックシート１、１ａは、上記のような構成であり、目元のシワ、タルミ、クスミを改善する場合は、図１に示したアイマスクシートを用い、美容液を保護する離形シート４を剥がし、露出した美容液３が顔面に接触するようシート２を両側の目の部分を一体に覆うように貼り付け、シート２は周辺に切り込み８が設けてあるので、切り込み８間の部分を顔の形状に合うよう貼り付けると共に、特に目元のシワ、タルミ、クスミの位置に対応する切り込み８間の部分は縦又は横方向に引っ張り力を加えた状態で貼り付ける。
【００２１】
また、口元のシワ、タルミ、クスミを改善する場合は、図２に示したマウスマスクシートを用い、美容液３を保護する離形シート４を剥がし、露出した美容液３が顔面に接触するようシート２を口の分部を覆うように貼り付け、シート２は周辺に切り込み８が設けてあるので、切り込み８間の部分を顔の形状に合うよう貼り付けると共に、特に口元のシワ、タルミ、クスミの位置に対応する切り込み８間の部分は縦又は横方向に引っ張り力を加えた状態で貼り付ける。
【００２２】
上記のような美容パックシート１又は１ａの貼り付け状態で就眠することにより、長時間の貼り付けを行えば、美容液３の成分による効果がシート２の貼り付けによって伸ばされているシワ、タルミ、クスミ分部に対して有効に作用し、目元や口元のシワ、タルミ、クスミを改善することができる。
【００２３】
上記美容パックシート１又は１ａの貼り付け状態において、アイマスクシートの場合は目の分部と鼻の部分に切れ目５、６、７が設けてあり、また、マウスマスクシートの場合は、口に対応する分部に切れ目９が設けてあるので、視界の確保及び就眠中の呼吸の確保が可能になり、安全性が向上することで長時間の貼り付け使用が安心して行える。
【図面の簡単な説明】
【００２４】
【図１】第１の実施の形態の美容パックシートを示す平面図
【図２】第２の実施の形態の美容パックシートを示す平面図
【図３】美容パックシートの拡大断面図
【符号の説明】
【００２５】
１        美容パックシート
１ａ      美容パックシート
２        シート
３        美容液
４        離形シート
５        切れ目
６        切れ目
７        切れ目
８        切り込み
９        切れ目
【図１】
0003110419.tif 000003
【図２】
0003110419.tif 000004
【図３】
0003110419.tif 000005